(57)【要約】移動式医療用遠隔測定装置（１０）が提供される。当該装置は、患者の少なくとも１つの生理的パラメータを検出する少なくとも１つのセンサ（１８）と、患者へ固定可能な筐体とを有する。回路（５０）は、筐体に配置され、記録可能な生理的データを発生させるようセンサから生理的パラメータを表す信号を受信して処理する。音声トランスデューサ（１６）は、筐体に配置され、回路へ動作上結合され、当該装置の少なくとも１つの動作状態を示す音声信号を発生させる。
2008520266.tif 000002
【特許請求の範囲】
【請求項１】
患者の少なくとも１つの生理的パラメータを検出する少なくとも１つのセンサ；
前記患者へ固定可能な筐体；
前記筐体に配置され、記録可能な生理的データを発生させるよう前記少なくとも１つのセンサから前記生理的パラメータを表す信号を受信して処理する回路；及び
前記筐体に配置され、前記回路へ動作上結合され、当該装置の少なくとも１つの動作状態を示す音声信号を発生させる音声トランスデューサ；
を有する移動式医療用遠隔測定装置。
【請求項２】
前記音声トランスデューサによって発生した前記音声信号は生理的関連情報を示す、請求項１記載の装置。
【請求項３】
前記回路及び前記音声トランスデューサへ動作上結合され、前記筐体に配置され、前記音声トランスデューサが無線ページング信号に応答して音声ページング信号を発生させるように前記無線ページング信号を受信する無線受信器を更に有する、請求項１記載の装置。
【請求項４】
示される当該装置の前記少なくとも１つの動作状態は、セルフテストの正常終了である、請求項１記載の装置。
【請求項５】
示される当該装置の前記少なくとも１つの動作状態は、セルフテストの失敗である、請求項１記載の装置。
【請求項６】
示される当該装置の前記少なくとも１つの動作状態は、前記生理的データを得るためのテスト結果の正常終了である、請求項１記載の装置。
【請求項７】
前記音声トランスデューサは少なくとも１つのトーンを発生させる、請求項１記載の装置。
【請求項８】
前記音声トランスデューサは、示されるべき当該装置の夫々の動作状態のために少なくとも１つの異なったトーンを発生させる、請求項１記載の装置。
【請求項９】
前記音声トランスデューサは、当該装置の異なった動作状態に夫々対応する複数のトーンを発生させる、請求項１記載の装置。
【請求項１０】
前記複数のトーンの夫々は、周波数と、持続時間と、トーン間の間隔と、強度とを含むグループから選択された少なくとも１つの特性で異なる、請求項９記載の装置。
【請求項１１】
前記トーンの１つは正のフィードバックを表し、前記トーンの残りのトーンの中の他のトーンは負のフィードバックを表す、請求項９記載の装置。
【請求項１２】
前記回路及び前記音声トランスデューサへ動作上結合され、前記筐体に配置され、前記音声トランスデューサが無線ページング信号に応答して音声ページング信号を発生させるように受信動作状態で前記無線ページング信号を受信する無線送受信器を更に有する、請求項１記載の装置。
【請求項１３】
前記センサによって検出される前記生理的パラメータは、心電図／呼吸（ＥＣＧ／ＲＥＳＰ）と、心電図（ＥＣＧ）と、侵襲性圧力と、温度と、非侵襲性血圧（ＮＩＢＰ）と、ＳｐＯ２／Ｐｌｅｔｈレベルと、二酸化炭素（ＣＯ２）レベルと、心拍出量とを含むグループから選択される、請求項１記載の装置。
【請求項１４】
患者へ固定可能な移動式医療用遠隔測定装置から音響フィードバックを供給する方法であって：
前記患者の少なくとも１つの生理的パラメータを検出するステップ；
記録可能な生理的データを発生させるよう前記生理的パラメータを表す信号を受信して処理するステップ；及び
当該装置の少なくとも１つの動作状態を示す音声信号を発生させるステップ；
を有する方法。
【請求項１５】
前記音声信号は生理的関連情報を示す、請求項１４記載の方法。
【請求項１６】
無線ページング信号を受信し、該無線ページング信号に応答して音声ページング信号を発生させるステップを更に有する、請求項１４記載の方法。
【請求項１７】
示される当該装置の前記少なくとも１つの動作状態は、セルフテストの正常終了である、請求項１４記載の方法。
【請求項１８】
示される当該装置の前記少なくとも１つの動作状態は、セルフテストの失敗である、請求項１４記載の方法。
【請求項１９】
示される当該装置の前記少なくとも１つの動作状態は、前記生理的データを得るためのテスト結果の正常終了である、請求項１４記載の方法。
【請求項２０】
前記音声信号は少なくとも１つのトーンを有する、請求項１４記載の方法。
【請求項２１】
前記音声信号は、示されるべき当該装置の夫々の動作状態のために少なくとも１つの異なったトーンを有する、請求項１４記載の方法。
【請求項２２】
前記音声信号は、当該装置の異なった動作状態に夫々対応する複数のトーンを有する、請求項１４記載の方法。
【請求項２３】
前記複数のトーンの夫々は、周波数と、持続時間と、トーン間の間隔と、強度とを含むグループから選択された少なくとも１つの特性で異なる、請求項２２記載の方法。
【請求項２４】
前記トーンの１つは正のフィードバックを表し、前記トーンの残りのトーンの中の他のトーンは負のフィードバックを表す、請求項２２記載の方法。
【請求項２５】
検出される前記生理的パラメータは、心電図／呼吸（ＥＣＧ／ＲＥＳＰ）と、心電図（ＥＣＧ）と、侵襲性圧力と、温度と、非侵襲性血圧（ＮＩＢＰ）と、ＳｐＯ２／Ｐｌｅｔｈレベルと、二酸化炭素（ＣＯ２）レベルと、心拍出量とを制限なく含むグループから選択される、請求項１４記載の方法。
【請求項２６】
夫々、第１又は第２の無線ページング信号を受信し、それに応じて第１又は第２の音声ページング信号を発生させるステップを更に有し、
前記第１及び第２の音声ページング信号は、音声上互いから区別される、請求項１４記載の方法。
【請求項２７】
前記第１の音声ページング信号は、前記患者に所定の位置へ戻るよう要求する、請求項２６記載の方法。
【請求項２８】
前記第２の音声ページング信号は、当該移動式医療用遠隔測定装置の所在確認をするために使用される、請求項２７記載の方法。
【発明の詳細な説明】
【技術分野】
【０００１】
本発明は、概して、移動式医療用遠隔測定装置に関し、更に具体的には、装置の近くにいる者へ音声フィードバックを供給する音響インジケータを有する移動式医療用遠隔測定装置に関する。
【背景技術】
【０００２】
人間の生理的状態データのモニタリングは、多数の医療、産業、科学及び娯楽の分野で、高く、ますます高まりつつあるレベルの関心を受けてきた。例えば、心電図（ＥＣＧ）データのモニタリングは、患者の心臓の状態を診断する際の有用なツールである。従来の医療用遠隔測定装置は、生理的パラメータの瞬時値が観測されることを可能にする。
【０００３】
移動式医療用遠隔測定装置は、当該装置によって検出される生理的パラメータが連続的にモニタリングされて分析されうるように、長期間患者へ取り付けられる持ち運び可能な電子装置である。モニタリングシステムは、その後の分析のためにデータを記憶する記録ユニットを有しても、あるいは有さなくても良い。
【０００４】
患者は、患者の住居、病院又は他の医療的ケア若しくはリハビリテーション施設を含め、多種多様な環境で移動式医療用遠隔測定装置を身に着けることができる。環境に関わらず、臨床のユーザは、一般的に、システムの動作において技術者ほどに高度に訓練されているわけではないので、ユーザは、理想的には、システムが正確に作動して、適切に動作しているという幾らかの保証を受け取るべきである。更に、患者が歩行している場合には、しばしば患者の所在確認をすることが困難であり得る。これは、生命に関わる事態又は他の緊急事態が起こった場合に非常に重要であり得る。
【発明の開示】
【発明が解決しようとする課題】
【０００５】
従って、医療用遠隔測定装置及びモニタリングシステム全体の動作及び状態に関して患者又は他の近くにいる者へフィードバックを返す手段を提供することが望ましい。
【課題を解決するための手段】
【０００６】
本発明に従って、移動式医療用遠隔測定装置が提供される。当該装置は、患者の少なくとも１つの生理的パラメータを検出する少なくとも１つのセンサと、前記患者へ固定可能な筐体とを有する。回路は、前記筐体に配置され、記録可能な生理的データを発生させるよう前記センサから前記生理的パラメータを表す信号を受信して処理する。音声トランスデューサは、前記筐体に配置され、前記回路へ動作上結合され、当該装置の少なくとも１つの動作状態を示す音声信号を発生させる。
【０００７】
本発明の一態様に従って、前記音声トランスデューサによって発生した前記音声信号は、更に、生理的関連情報を示す。
【０００８】
本発明の他の態様に従って、無線受信器は、前記回路及び前記音声トランスデューサへ動作上結合され、前記筐体に配置され、前記音声トランスデューサが無線ページング信号に応答して音声ページング信号を発生させるように前記無線ページング信号を受信する。
【０００９】
本発明の他の態様に従って、示される当該装置の前記動作状態は、セルフテストの正常終了である。
【００１０】
本発明の他の態様に従って、示される当該装置の前記動作状態は、セルフテストの失敗である。
【００１１】
本発明の他の態様に従って、示される当該装置の前記動作状態は、前記生理的データを得るためのテスト結果の正常終了である。
【００１２】
本発明の他の態様に従って、前記音声トランスデューサは少なくとも１つのトーンを発生させる。
【００１３】
本発明の他の態様に従って、前記音声トランスデューサは、示されるべき当該装置の夫々の動作状態のために少なくとも１つの異なったトーンを発生させる。
【００１４】
本発明の他の態様に従って、前記音声トランスデューサは、当該装置の異なった動作状態に夫々対応する複数のトーンを発生させる。
【００１５】
本発明の他の態様に従って、前記複数のトーンの夫々は、周波数と、持続時間と、トーン間の間隔と、強度とを含むグループから選択された少なくとも１つの特性で異なる。
【００１６】
本発明の他の態様に従って、前記トーンの１つは正のフィードバックを表し、前記トーンの残りのトーンの中の他のトーンは負のフィードバックを表す。
【００１７】
本発明の他の態様に従って、無線送受信器は、前記回路及び前記音声トランスデューサへ動作上結合され、前記筐体に配置され、前記音声トランスデューサが無線ページング信号に応答して音声ページング信号を発生させるように受信動作状態で前記無線ページング信号を受信する。
【００１８】
本発明の他の態様に従って、前記センサによって検出される前記生理的パラメータは、心電図／呼吸（ＥＣＧ／ＲＥＳＰ）と、心電図（ＥＣＧ）と、侵襲性圧力と、温度と、非侵襲性血圧（ＮＩＢＰ）と、ＳｐＯ２／Ｐｌｅｔｈレベルと、二酸化炭素（ＣＯ２）レベルと、心拍出量とを含むグループから選択される。
【００１９】
本発明の他の態様に従って、患者へ固定可能な移動式医療用遠隔測定装置から音響フィードバックを供給する方法が提供される。当該方法は、前記患者の少なくとも１つの生理的パラメータを検出して、記録可能な生理的データを発生させるよう前記生理的パラメータを表す信号を受信して処理することによって開始する。音声信号は、当該装置の少なくとも１つの動作状態を示すよう発生する。
【発明を実施するための最良の形態】
【００２０】
本発明者は、前述の問題が、音響信号を発生させるためのトランスデューサ（ｔｒａｎｓｄｕｃｅｒ）又は他の機構を有する移動式医療用遠隔測定装置を備えることによって軽減可能であることに気付いた。音響信号は、装置及び／又はモニタリングシステム全体が正確に動作していることをユーザに保証するフィードバックを提供することができる。例えば、フィードバックは、モニタリングされている患者の状態、装置ハードウェアの状態、又は患者をモニタリングする際に用いられるアルゴリズムの状態を示しうる。例えば、音響信号は、測定が終了したこと、モニタリングが動作不能であること、又は、測定された値が所定範囲外であることを示しても良い。音響信号は、また、ページング信号の役割を果たすこともできる。このページング信号によって、介護者は、例えば、患者に自分の部屋へ戻るよう要求することができる。あるいは、ページング信号は、モニタへ無線信号を送信した後に患者の所在確認をする助けとなる。
【００２１】
本発明が用いられるところの移動式装置は、心電図／呼吸（ＥＣＧ／ＲＥＳＰ）と、心電図（ＥＣＧ）と、侵襲性圧力と、温度と、非侵襲性血圧（ＮＩＢＰ）と、ＳｐＯ２／Ｐｌｅｔｈレベルと、二酸化炭素（ＣＯ２）レベルと、心拍出量とを制限なく含む多種多様な生理的パラメータのいずれかを測定することができる。
【００２２】
本発明に従う移動式医療用遠隔測定装置１０の斜視図が図１に示される。移動式装置１０の要素は、筐体４２の中に収納されている。ユーザインターフェース１２、音響インジケータ１６、患者コネクタ／センサ１８及びアンテナ１９は、移動式装置１０に組み込まれている。ユーザインターフェース１２は、ディスプレイ、ボタン及び／又は他のアクチュエータなどを有しても良く、当該装置を作動させて、利用可能な様々な動作状態の中から選択するために使用される。患者コネクタは、移動式装置１０の回路又は機構と、患者の状態をモニタリングするために患者へ取り付けられたセンサ又は他のトランスデューサとの間の接続を提供する。アンテナ１９は、後述される無線通信のために使用される。移動式装置１０は、患者の通常活動の間に歩行する患者によって持ち運ばれ、関心のある患者の生理的パラメータは、患者が移動している間に、分析され、モニタリングされ、表示され、記録されうる。
【００２３】
留意すべきは、移動式装置１０は、通常は簡単且つコンパクトであるよう設計され、本発明の幾つかの実施例では、例えば、付加的なデータ交換のための他の無線リンク又は、拡張使用のために追加の電力を供給する外部電池パックなどの更なる機能を有しても良い点である。しかし、このような機能は任意であって、本発明の限定として解釈されるべきではない。
【００２４】
移動式医療用遠隔測定装置１０の一実施例のブロック図が図２に示される。患者コネクタ／センサ１８における接触は、電子機器モジュール２０の回路５０へ接続されている。上述されたように、患者へ取り付けられたセンサは、コネクタ１８を介して移動式装置１０へ接続されている。回路５０は、患者センサからの生理的信号を処理する。回路５０の出力は、取得処理装置５２へ接続されている。取得処理装置５２は、装置動作の一部を制御し、生理的信号を有用なデータフォーマットに変換する。取得処理装置５２は、プログラム記憶領域５６及びデータバッファ５８を含むメモリ５４へ接続されている。プログラム記憶領域５６は、取得処理装置５２の動作を制御するプログラムを記憶するために使用される。データバッファ５８は、生理的データの一時記憶を提供する。クロック６２は、取得処理装置５２へ接続されている。移動式装置１０の一部は、電池電力を節約するために、使用されない場合には電源をオフにされても良い。
【００２５】
コマンド処理装置６６は、取得処理装置５２と、メモリ５４とへ接続されている。コマンド処理装置６６は、また、後述される無線警報送受信器２８による情報の送信及び受信を制御する。本発明の一実施例で、無線送受信器２８は、一体化された無線周波数遠隔測定ユニットである。本発明の幾つかの実施例で、送受信器の全ての機能は必要とされるわけではなく、その場合に、無線受信器又は無線送信器のみが、特定のモニタの必要性に依存して用いられても良い。
【００２６】
音響インジケータ１６は、コマンド処理装置６６へ接続されている。音響インジケータ１６は、１又はそれ以上のトーンを発生させる簡単な音声トランスデューサであっても良い。代替的に、音響インジケータ１６は、多種多様なトーン若しくは曲、又は声を発生させる、より複雑な構成要素であっても良い。音響インジケータ１６は、トーン又は曲の持続時間及び強さを変化させることができうる。
【００２７】
音響インジケータ１６は、コマンド処理装置６６の制御下で、様々な動作状態又は条件を表す音声信号を発生させ、それによって患者又は患者の近くにいる他者への音声フィードバックを供給する。供給されるフィードバックは、（例えば、モニタが動作不能、即ちセルフテストに失敗する場合、若しくは、モニタが別の理由で測定を実行することができない場合、又は、測定された値が所定範囲外にある場合）負のフィードバックであっても良い。他方で、供給されるフィードバックは、例えば、セルフテストが正常終了したことや、測定が正常に得られたことなどを示す正のフィードバックであっても良い。音響インジケータ１６は、多種多様な方法で正のフィードバックか負のフィードバックかを区別することができる。例えば、トーンが用いられる場合に、トーンの持続時間、強度及び／又は周波数は、夫々のフィードバック形式に関して異なりうる。代替的に、異なった曲は、異なったフィードバック形式に対して用いられても良い。
【００２８】
音響信号は、また、様々な他の目的のために用いられうる。例えば、音響信号は、介護者が、無線信号をモニタへ送信した後に患者の所在を確認することを可能にするページング信号の役割を果たすことができる。更に具体的には、本発明の幾つかの実施例で、音響インジケータ１６は、ページング機能を提供するために使用されても良い。この実施例では、無線送受信器２８（又は無線受信器）は、中央基地局（例えば、ナースステーション）又は音響インジケータ１６を作動させる他の場所から無線コマンド信号を受信する。このようにして、音響放射は、装置及び／又は患者の配置を容易にする。
【００２９】
幾つかの場合に、ページング機能は、２つの異なった方法で使用され得る。特に、それは、ある所定の場所、例えば、患者の部屋へ戻るよう患者に要求する又は患者を呼び出すために使用され得る。このように使用される場合に、音響信号は、患者に所定の場所へ戻るよう要求するページング信号として患者によって認識可能な特徴的なトーン又は曲を有する。例えば、このようなページング信号は、固定音量を有する周期的トーンであっても良い。他方で、ページング機能は、また、装置が患者へ取り付けられているか否かに関わらず、移動式装置を見つけるために使用されても良い。この場合に、ページング信号は、有利に、患者に所定の場所へ戻るよう指示するために使用されるページング信号とは異なっても良い。例えば、トーン又は曲は、装置が容易に所在確認され得るように、連続的で、且つ、可能な限りの音量であっても良い。
【００３０】
無線送信の機能を提供する本発明のこれらの実施例で、無線送受信器２８は、分析のための遠く離れた場所へ生理的データを送信することができる。また、測定される生理的パラメータによって示されるような緊急事態の場合に、送受信器２８は、緊急時対応要員に通知するよう遠く離れた場所へ警報を送ることができる。本発明の幾つかの実施例で、無線送受信器２８はデータを装置へ送信し、次に、装置は電話又はコンピュータネットワークを介して応答者へデータを送っても良い。例えば、モニタが主に患者の住居で使用されるべき場合に、無線送受信器２８は、やはり住宅に配置されたある目的のためだけに使用可能な電話機へデータを送ることができる。
【００３１】
動作において、取得処理装置５２は、回路５０から測定された生理的パラメータを表す信号を取得し、その信号をデータへ変換して、そのデータをデータバッファ５８に記憶することができる。幾つかの場合に、取得処理装置５２は、また、生理的データに関して警報限界（例えば、生死に関わる出来事）を確認することができる。例えば、生理的データが測定中である場合に、取得処理装置５２は、異常心拍の発生に関するデータを確認することができる。警報限界は、プログラム記憶領域５６又は、取得処理装置５２によってアクセス可能ないずれかの他の適切な場所に記憶されうる。取得処理装置５２が、緊急事態を示す警報限界が超えられたと判断する場合に、取得処理装置５２はコマンド処理装置６６を介して音響インジケータ１６を作動させることができる。
【００３２】
様々な実施例が本明細書において具体的に図示及び記載されるが、本発明の変更及び変形が、上記記載には含まれており、本発明の精神及び意図された適用範囲から逸脱しない範囲で添付の特許請求の範囲の技術的範囲内にあることは明らかである。例えば、様々な構成要素が別個の要素として表されるが、これらの要素の機能は、ハードウェア、ソフトウェア、又はそれらのいずれかの組合せで具現化され、従って、別個の物理的構成要素で具現化される必要はないことは、当業者には明らかである。
【図面の簡単な説明】
【００３３】
【図１】本発明に従う移動式医療用遠隔測定装置の斜視図を示す。
【図２】図１に示された移動式医療用遠隔測定装置の一実施例の機能ブロック図を示す。
【図１】
2008520266.tif 000003
【図２】
2008520266.tif 000004
【国際調査報告】
2008520266.tif 000005
2008520266.tif 000006
2008520266.tif 000007